(57)【要約】【課題】  蓋体の連結部分にがたつきが生じたり、薄い生餌を餌付けしても、生餌をしっかりと疑似餌本体に固定可能で、しかも生餌を魚が食いつき易い状態で常時保持可能な餌付疑似餌を提供する。【解決手段】  餌付け時には、生餌収納部１１に切り身１５を収納後、蓋体１４を閉める。その際、弾性押し付け部材１６の弾性力により切り身１５がネット材１２にしっかりと押し付けられる。その結果、仮に蓋体１４と疑似餌本体１３との連結部分にがたつきが生じたり、切り身１５が薄い場合でも、切り身１５を疑似餌本体１３に堅固に固定できる。これにより、魚がネット材１２の網目を通し、切り身１５をついばんでも餌持ちが良い。よって、長時間にわたり高い釣り効果が期待できる。また、生餌を魚が食いつき易い状態で常時保持できる。【選択図】図１
2005080632.tif 000002
【特許請求の範囲】
【請求項１】
奥壁に開口部が形成され、該開口部にネット材が設けられた生餌収納部を有する疑似餌本体と、
該疑似餌本体に設けられ、前記開口部とは反対側の開口部から生餌収納部を開閉する蓋体と、
該蓋体に設けられ、前記生餌収納部に収納された生餌を、前記ネット材に所定の弾性力で押し付ける弾性押し付け部材とを備えた餌付疑似餌。
【請求項２】
前記疑似餌本体には、前記蓋体を掛合する第１の掛合部が設けられ、
前記蓋体の一端部には、前記第１の掛合部に掛合可能な第２の掛合部が設けられ、
前記蓋体の他端部は、ヒンジを介して、前記疑似餌本体に回動自在に連結されている請求項１に記載の餌付疑似餌。
【発明の詳細な説明】
【技術分野】
【０００１】
この発明は餌付疑似餌、詳しくは小魚や魚の切り身などの生餌を取り付け可能な餌付疑似餌に関する。
【背景技術】
【０００２】
例えばイカ釣り用に使用される疑似餌として、特許文献１のような疑似餌本体に生餌を取り付け、イカの集魚効果を高めた餌付疑似餌が知られている。
従来の餌付疑似餌は、疑似餌本体の外周面に、ネット形状のカバー体を開閉自在に設けた構造を有している。生餌を疑似餌本体に固定する餌付け時には、まずカバー体を開き、疑似餌本体の外周面に小魚や魚の切り身などの生餌を張り付けてから、カバー体を閉める。その際、カバー体の押し付け力により、生餌が、疑似餌本体とカバー体との間で固定される。
【特許文献１】実開平６−９４５４号公報
【発明の開示】
【発明が解決しようとする課題】
【０００３】
しかしながら、従来の餌付疑似餌では、このように生餌の疑似餌本体への固定は、カバー体閉蓋時におけるカバー体の疑似餌本体への押し付け力だけに頼っていた。
そのため、例えばカバー体の疑似餌本体への連結部分にがたつきが存在する場合や、生餌が薄い場合などには、生餌を疑似餌本体にしっかりと固定することができなかった。
また、イカは口がほぼ平坦であるので、切り身がネットから突出していなければ食いつき難い。従来の開閉式のカバー体では、イカが数回食いつくだけで、ネットの網目から突出した切り身の部分がなくなってしまい、切り身を付け替えなければならなかった。
【０００４】
この発明は、蓋体と疑似餌本体との連結部分にがたつきが生じたり、薄い生餌を餌付けする際などでも、生餌をしっかりと疑似餌本体に固定することができ、しかも魚が食いつきやすいように、常に生餌の一部をネット材から突出させることができる餌付疑似餌を提供することを目的としている。
【課題を解決するための手段】
【０００５】
請求項１に記載の発明は、奥壁に開口部が形成され、該開口部にネット材が設けられた生餌収納部を有する疑似餌本体と、該疑似餌本体に設けられ、前記開口部とは反対側の開口部から生餌収納部を開閉する蓋体と、該蓋体に設けられ、前記生餌収納部に収納された生餌を、前記ネット材に所定の弾性力で押し付ける弾性押し付け部材とを備えた餌付疑似餌である。
【０００６】
請求項１に記載の発明によれば、生餌を疑似餌本体に固定する餌付け時には、まず生餌収納部に生餌を収納し、その後、蓋体を閉める。このとき、蓋体に設けられた弾性押し付け部材の弾性力により、生餌がネット材にしっかりと押し付けられる。その結果、仮に蓋体と疑似餌本体との連結部分にがたつきが生じたり、薄い生餌を餌付けする場合などであっても、生餌を疑似餌本体にしっかりと固定することができる。よって、ネット材の網目を通して魚が生餌をついばんだときでも、その餌持ちが良く、長時間にわたって高い釣り効果が期待できる。さらに、魚が食いつきやすいように、常に生餌の一部をネット材から突出させることができる。
【０００７】
生餌の種類は限定されない。例えば、小魚、大きな魚の切り身といった魚介類などが挙げられる。
疑似餌本体の素材としては、例えば木、プラスチックなどを採用することができる。疑似餌本体の形状、大きさは限定されない。例えば釣り上げようとするイカや魚などが食いつき易い形状、大きさを選択可能である。
ネット材としては、例えば金網、格子構造体などを採用することができる。
弾性押し付け部材の種類は限定されない。例えばコイルばね、板ばねなどの各種のばね材、各種のスポンジの単体でもよい。また、ばね材やスポンジなどの弾性体の端部に、生餌の押さえ部材を取り付けた構造体でもよい。
蓋体の素材、形状、大きさは限定されない。生餌が収納された生餌収納部を閉蓋可能であればよい。
【０００８】
請求項２に記載の発明は、前記疑似餌本体には、前記蓋体を掛合する第１の掛合部が設けられ、前記蓋体の一端部には、前記第１の掛合部に掛合可能な第２の掛合部が設けられ、前記蓋体の他端部は、ヒンジを介して、前記疑似餌本体に回動自在に連結されている請求項１に記載の餌付疑似餌である。
【０００９】
請求項２に記載の発明によれば、餌付け後、蓋体をヒンジを介して閉蓋方向に回動し、第１の掛合部に第２の掛合部を掛合して閉蓋する。その結果、弾性押し付け部材の付勢力により蓋体が開こうとしても、蓋体の閉蓋状態を保持することができる。
第１の掛合部および第２の掛合部の素材、形状、大きさは限定されない。
【発明の効果】
【００１０】
請求項１に記載の発明によれば、蓋体には、生餌収納部に収納された生餌をネット材に弾性状態で押し付ける弾性押し付け部材が設けたので、仮に蓋体と疑似餌本体との連結部分にがたつきが生じたり、薄い生餌を餌付けする場合などでも、生餌を疑似餌本体にしっかりと固定することができる。よって、ネット材の網目を通して魚が生餌をついばんでも、餌持ちが良く、長時間にわたって高い釣り効果を期待することができる。しかも、魚が食いつきやすいように、常時、生餌の一部をネット材から突出させることができる。
【００１１】
特に、請求項２に記載の発明によれば、蓋体を疑似餌本体にヒンジを介して連結し、疑似餌本体に第１の掛合部を設けるとともに蓋体に第２の掛合部を設けたので、蓋体に弾性押し付け部材の付勢力が作用しても、蓋体をしっかりと閉じることができる。
【発明を実施するための最良の形態】
【００１２】
以下、この発明の実施例を図面を参照して説明する。
【実施例１】
【００１３】
図１〜図４において、１０はイカ釣り用の餌付疑似餌で、この餌付疑似餌１０は、奥壁（上壁）に開口部（上側の開口部）１１ａが形成され、開口部１１ａにネット材１２が設けられた生餌収納部１１を有した疑似餌本体１３と、疑似餌本体１３に設けられ、生餌収納部１１を開閉する蓋体１４と、蓋体１４に設けられ、生餌収納部１１に収納された魚の切り身（生餌）１５をネット材１２に弾性状態で押し付ける弾性押し付け部材１６とを備えている。
【００１４】
疑似餌本体１３は、長さが１２ｃｍ程度の魚形状を有した木造の部材で、その胴部の略全域に、疑似餌本体１３の長さ方向に長く、上下面を貫通した生餌収納部１１が形成されている。疑似餌本体１３の先端には、釣り糸を結ぶための止環１３ａが固着されている。また、疑似餌本体１３の後端部には、連結ピン１７を介して、１対の引っ掛け針（集束針）１８がピン長さ方向に互いに離間した状態で連結されている。
【００１５】
生餌収納部１１の開口部１１ａは、その全体が金属製のネット材１２により覆われている。ネット材１２は、その長さ方向に直交する断面形状が、中央部分を外方に突出させた円弧形状となっている。生餌収納部１１の先側の側壁の下部には、その疑似餌本体１３の幅方向の中間位置に、蓋体１４を掛合する溝形状の第１の掛合部１９が形成されている。第１の掛合部１９の両側壁の一部には、半球形状の凹部１９ａがそれぞれ形成されている。また、生餌収納部１１の後側の側壁の下部には、その疑似餌本体１３の幅方向の中間位置に、回動ピン２１を有するヒンジ２２を介して、蓋体１４の元部（他端部）が軸支されている。蓋体１４の先端部の外面には、第１の掛合部１９に掛合可能な板片形状を有した第２の掛合部２０が突設されている。第２の掛合部２０の両側面には、両凹部１９ａに掛止可能な凸部２０ａがそれぞれ突設されている。
【００１６】
蓋体１４の長さ方向の両端部の内面には、１対の環状のばねホルダ１４ａを介して、短尺な１対のコイルばね２３が離間配置されている。両コイルばね２３の先端には、所定のばね力により、切り身１５をネット材１２に弾性的に押し付ける押し付け板２４が横架されている。押し付け板２４は、その長さ方向に直交する断面形状が前記ネット材１２の断面形状と略同じで、しかも蓋体１４と略同じ長さを有した部材である。両コイルばね２３と押し付け板２４とにより、前記弾性押し付け部材１６が構成される。
【００１７】
次に、実施例１の餌付疑似餌１０の使用方法を説明する。
餌付け時には、蓋体１４を開け、切り身１５を生餌収納部１１に収納する。その後、ヒンジ２２を介して蓋体１４を閉蓋方向に回動し、蓋体１４を閉める。この際、まず切り身１５の下面に押し付け板２４の上面が当接する。次いで、蓋体１４をさらに閉じることで、両コイルばね２３のばね力により、切り身１５が、生餌収納部１１の内側からネット材１２に押し付けられる。その後、凹部１９ａに凸部２０ａを嵌め込み、第１の掛合部１９に第２の掛合部２０を掛合することで、蓋体１４が完全に閉じる。このように、蓋体１４の閉蓋構造として、両掛合部１９，２０を有する掛合構造を採用したので、両コイルばね２３のばね力により蓋体１４が開口しようとしても、蓋体１４の閉蓋状態をしっかりと維持することができる。
【００１８】
また、蓋体１４に、切り身１５の全体を、ネット材１２の裏面に付勢状態で押し付ける弾性押し付け部材１６を設けたので、仮に蓋体１４と疑似餌本体１３との連結部分にがたつきが発生したり、予め規定された厚肉な切り身１５（図２（ｂ））ではなく、薄い切り身１５の場合（図２（ａ））でも、切り身１５を疑似餌本体１３にしっかりと固定することができる。これにより、魚がネット材１２の網目から切り身１５をついばんでも、切り身１５の餌持ちが良い。その結果、長時間にわたり高い釣り効果を期待することができる。しかも、このように魚が切り身１５をつつくと切り身１５は薄くなって、切り身１５の固定力が低下するおそれがある。ところが、このような場合にも、両コイルばね２３のばね力により、切り身１５は略一定のばね力でネット材１２に固定される。よって、魚の食いつきにより切り身１５が薄くなっても、切り身１５をしっかりと固定することができる。しかも、魚が食いつきやすいように、常時、生餌の一部をネット材から突出させることができる。
【図面の簡単な説明】
【００１９】
【図１】この発明の実施例１に係る餌付疑似餌の使用状態の斜視図である。
【図２】（ａ）この発明の実施例１に係る餌付疑似餌における薄い生餌を固定した状態を示す断面図である。（ｂ）この発明の実施例１に係る餌付疑似餌における厚い生餌を固定した状態を示す断面図である。
【図３】この発明の実施例１に係る餌付疑似餌の蓋体の連結構造を示す要部分解斜視図である。
【図４】この発明の実施例１に係る餌付疑似餌の蓋体の掛合構造を示す一部断面図を含む要部斜視図である。
【符号の説明】
【００２０】
１０  餌付疑似餌、
１１  生餌収納部、
１１ａ  開口部、
１２  ネット材、
１３  疑似餌本体、
１４  蓋体、
１５  切り身（生餌）、
１６  弾性押し付け部材、
１９  第１の掛合部、
２０  第２の掛合部、
２２  ヒンジ。
【図１】
2005080632.tif 000003
【図２】
2005080632.tif 000004
【図３】
2005080632.tif 000005
【図４】
2005080632.tif 000006